(57)【要約】【課題】ユーザと画面上のキャラクタとの一体感を得つつ、ユーザの行動をキャラクタの行動に的確に反映させることが可能な万歩計機能を有する画像表示装置を提供する。【解決手段】画像表示装置１は、装置本体２の振動を検知する振動検知手段１２と、動作するキャラクタＣを表示する画像表示手段１５と、キャラクタＣの第１パラメータＰ１および第１パラメータＰ１の値に対応するキャラクタＣの１動作あたりの時間間隔ΔＴが記憶された記憶手段１３と、画面３に動作するキャラクタＣを表示させ、所定の持続時間Ｔconが経過するまでに振動検知手段１２が検知した装置本体２の振動の回数が所定の回数Ｃvibに達すると、キャラクタＣの第１パラメータＰ１の値を増加させ、記憶手段１３に記憶されたキャラクタＣの１動作あたりの時間間隔ΔＴに基づいて画面３に表示されるキャラクタＣの１動作あたりの時間間隔ΔＴを短くする制御手段１６とを備える。【選択図】図２
2009005856.tif 000002
【特許請求の範囲】
【請求項１】
装置本体の振動を検知する振動検知手段と、
動作するキャラクタを表示する画像表示手段と、
前記キャラクタの状態を表す前記キャラクタの第１パラメータおよび前記第１パラメータの値に対応する前記キャラクタの１動作あたりの時間間隔が記憶された記憶手段と、
前記画像表示手段の画面に前記動作するキャラクタを表示させ、所定の持続時間が経過するまでに前記振動検知手段が検知した前記装置本体の振動の回数が所定の回数に達すると、前記キャラクタの第１パラメータの値を増加させ、前記記憶手段に記憶された前記キャラクタの１動作あたりの時間間隔に基づいて前記画面に表示される前記キャラクタの１動作あたりの時間間隔を短くする制御手段と
を備えることを特徴とする画像表示装置。
【請求項２】
前記キャラクタの第１パラメータは段階的に変化し、
前記制御手段は、前記所定の持続時間が経過するまでに前記振動検知手段が検知した前記装置本体の振動の回数が所定の回数に達した場合には、前記キャラクタの第１パラメータを現在の値とは別の段階の値に変化させることを特徴とする請求項１に記載の画像表示装置。
【請求項３】
前記画像表示手段の画面中に前記第１パラメータの最大値に対応する個数分の表示部分が設けられており、または前記画面の近傍に前記第１パラメータの最大値に対応する個数分の表示手段が設けられており、
前記制御手段は、前記段階的に変化する前記キャラクタの第１パラメータの値を、前記画面中の前記表示部分または前記画面の近傍に設けられた前記表示手段を前記第１パラメータの値に対応する個数分変色させまたは点灯させることにより表示することを特徴とする請求項２に記載の画像表示装置。
【請求項４】
前記所定の持続時間の経過の計測および前記所定の持続時間が経過するまでに前記振動検知手段が検知した前記装置本体の振動の回数は、前記制御手段が前記キャラクタの第１パラメータの値を変化させる際にともにリセットされることを特徴とする請求項１から請求項３のいずれか一項に記載の画像表示装置。
【請求項５】
前記所定の持続時間が経過するまでに検知されることが必要とされる前記装置本体の振動の所定の回数は、前記キャラクタの前記第１パラメータとは異なる前記キャラクタの第２パラメータに依存して変化することを特徴とする請求項１から請求項４のいずれか一項に記載の画像表示装置。
【請求項６】
前記所定の持続時間は、前記第１パラメータおよび第２パラメータが設定されている場合には第２パラメータとは異なる前記キャラクタの第３パラメータに依存して変化することを特徴とする請求項１から請求項５のいずれか一項に記載の画像表示装置。
【請求項７】
前記記憶手段には、設定される前記キャラクタが到達すべき目的地ごとの前記目的地までの全歩数、および前記装置本体の振動１回あたりの歩数がそれぞれ記憶されており、
前記制御手段は、前記振動検知手段が前記装置本体の振動の検知を開始した時点からの前記振動１回あたりの歩数の積算値の、前記設定された目的地までの全歩数に対する割合に応じて、前記画像表示手段の画面中または前記画面の近傍に設けられた表示部の表示を変化させることを特徴とする請求項１から請求項６のいずれか一項に記載の画像表示装置。
【請求項８】
前記装置本体の振動１回あたりの歩数は、前記第１パラメータの値に対応し、前記第１パラメータの値が大きくなるほど大きな値となるように設定されていることを特徴とする請求項７に記載の画像表示装置。
【請求項９】
前記制御手段は、前記振動検知手段が前記装置本体の振動を検知している場合には前記画像表示手段の画面上に動作する前記キャラクタを表示させ、前記振動検知手段が前記振動を検知していない場合には前記画像表示手段の画面上での前記キャラクタの動作が停止するように表示させることを特徴とする請求項１から請求項８のいずれか一項に記載の画像表示装置。
【発明の詳細な説明】
【技術分野】
【０００１】
本発明は、画像表示装置に係り、特に、万歩計（登録商標）機能を有し、表示画面にキャラクタが表示される画像表示装置に関する。
【背景技術】
【０００２】
万歩計は、通常、ユーザが身に着けて歩くことで、その振動を検知し、ユーザが歩いた歩数をカウントすることで、ユーザの１日の累積歩数や歩いた距離、消費したカロリー等を表示して、ユーザの運動不足の解消や健康管理等に寄与するものである。しかし、このようにユーザの歩数等をカウントし表示するだけではユーザが飽きてしまい、歩こうという意欲を失ってしまったり、或いは、１日の累積歩数等を知るだけでは物足りなくなる場合がある。
【０００３】
このような事態に陥ることを防止するために、例えば万歩計に表示画面を設けてキャラクタを表示させ、キャラクタの成長や行動とユーザの歩行等の行動とを関連付けることでキャラクタとの一体感を持たせる万歩計が種々提案されている。例えば、ユーザが反復的に運動した量に応じて画面上で仮想的なキャラクタを成長させる機能を備えたり（例えば、特許文献１参照）、或いは、画面上で目的地に向かって歩行するキャラクタを、ユーザが行動することによって援助する機能を備えた万歩計（例えば、特許文献２参照）等が知られている。
【０００４】
特に、特許文献２に記載された万歩計機能を有する画像表示装置では、画面上を移動するカメのキャラクタに対し、ユーザの走行歩数の合計が例えば２００歩になった時点で画面上にユーザを模した人間のキャラクタを登場させて、人間がカメを台車に乗せて引っ張ることで走行速度を２倍にして、人間とカメが一体となって目的地までの走行距離を稼ぐような画像表示装置が提案されている。
【特許文献１】特開平１１−５２８３４号公報
【特許文献２】特開平１１−７３０９３号公報
【発明の開示】
【発明が解決しようとする課題】
【０００５】
ところで、特許文献２に記載された画像表示装置では、ユーザの走行歩数が２００歩になれば自動的に人間とカメのキャラクタの画面上での走行速度が２倍になり、その状態が例えば１５分間続く。また、その間、たとえユーザが歩行していなくても画面上では人間とカメのキャラクタが２倍の走行速度で移動する表示がなされる。また、同文献によれば、人間とカメのキャラクタが２倍の走行速度で移動する間、万歩計の計数値はクリアされて０のままであり、１５分間の表示が終了した後、はじめて万歩計の計数が再開される。
【０００６】
しかし、これではユーザと画面上のキャラクタとの一体感や自らの行動によってキャラクタを所定の目的地に到達させたことの達成感は希薄になってしまう可能性が残る。
【０００７】
ユーザと画面上のキャラクタとの一体感を得つつ、ユーザに飽きずに歩こうという意欲を維持させるためには、例えば、ユーザが歩けばキャラクタの何らかの特性が良い方向に変化し、ユーザが歩くことを止めれば良い方向に変化したキャラクタの特性が低下するように構成するなどして、ユーザの行動が画面上のキャラクタの行動に的確に反映されるように構成することが望まれる。
【０００８】
本発明は、このような事情に鑑みてなされたものであり、ユーザと画面上のキャラクタとの一体感を得つつ、ユーザの行動を画面上のキャラクタの行動に的確に反映させることが可能な万歩計機能を有する画像表示装置を提供することを目的とする。
【課題を解決するための手段】
【０００９】
前記の問題を解決するために、請求項１に記載の画像表示装置は、
装置本体の振動を検知する振動検知手段と、
動作するキャラクタを表示する画像表示手段と、
前記キャラクタの状態を表す前記キャラクタの第１パラメータおよび前記第１パラメータの値に対応する前記キャラクタの１動作あたりの時間間隔が記憶された記憶手段と、
前記画像表示手段の画面に前記動作するキャラクタを表示させ、所定の持続時間が経過するまでに前記振動検知手段が検知した前記装置本体の振動の回数が所定の回数に達すると、前記キャラクタの第１パラメータの値を増加させ、前記記憶手段に記憶された前記キャラクタの１動作あたりの時間間隔に基づいて前記画面に表示される前記キャラクタの１動作あたりの時間間隔を短くする制御手段と
を備えることを特徴とする。
【００１０】
請求項２に記載の発明は、請求項１に記載の画像表示装置において、
前記キャラクタの第１パラメータは段階的に変化し、
前記制御手段は、前記所定の持続時間が経過するまでに前記振動検知手段が検知した前記装置本体の振動の回数が所定の回数に達した場合には、前記キャラクタの第１パラメータを現在の値とは別の段階の値に変化させることを特徴とする。
【００１１】
請求項３に記載の発明は、請求項２に記載の画像表示装置において、
前記画像表示手段の画面中に前記第１パラメータの最大値に対応する個数分の表示部分が設けられており、または前記画面の近傍に前記第１パラメータの最大値に対応する個数分の表示手段が設けられており、
前記制御手段は、前記段階的に変化する前記キャラクタの第１パラメータの値を、前記画面中の前記表示部分または前記画面の近傍に設けられた前記表示手段を前記第１パラメータの値に対応する個数分変色させまたは点灯させることにより表示することを特徴とする。
【００１２】
請求項４に記載の発明は、請求項１から請求項３のいずれか一項に記載の画像表示装置において、前記所定の持続時間の経過の計測および前記所定の持続時間が経過するまでに前記振動検知手段が検知した前記装置本体の振動の回数は、前記制御手段が前記キャラクタの第１パラメータの値を変化させる際にともにリセットされることを特徴とする。
【００１３】
請求項５に記載の発明は、請求項１から請求項４のいずれか一項に記載の画像表示装置において、前記所定の持続時間が経過するまでに検知されることが必要とされる前記装置本体の振動の所定の回数は、前記キャラクタの前記第１パラメータとは異なる前記キャラクタの第２パラメータに依存して変化することを特徴とする。
【００１４】
請求項６に記載の発明は、請求項１から請求項５のいずれか一項に記載の画像表示装置において、前記所定の持続時間は、前記第１パラメータおよび第２パラメータが設定されている場合には第２パラメータとは異なる前記キャラクタの第３パラメータに依存して変化することを特徴とする。
【００１５】
請求項７に記載の発明は、請求項１から請求項６のいずれか一項に記載の画像表示装置において、
前記記憶手段には、設定される前記キャラクタが到達すべき目的地ごとの前記目的地までの全歩数、および前記装置本体の振動１回あたりの歩数がそれぞれ記憶されており、
前記制御手段は、前記振動検知手段が前記装置本体の振動の検知を開始した時点からの前記振動１回あたりの歩数の積算値の、前記設定された目的地までの全歩数に対する割合に応じて、前記画像表示手段の画面中または前記画面の近傍に設けられた表示部の表示を変化させることを特徴とする。
【００１６】
請求項８に記載の発明は、請求項７に記載の画像表示装置において、前記装置本体の振動１回あたりの歩数は、前記第１パラメータの値に対応し、前記第１パラメータの値が大きくなるほど大きな値となるように設定されていることを特徴とする。
【００１７】
請求項９に記載の発明は、請求項１から請求項８のいずれか一項に記載の画像表示装置において、前記制御手段は、前記振動検知手段が前記装置本体の振動を検知している場合には前記画像表示手段の画面上に動作する前記キャラクタを表示させ、前記振動検知手段が前記振動を検知していない場合には前記画像表示手段の画面上での前記キャラクタの動作が停止するように表示させることを特徴とする。
【発明の効果】
【００１８】
請求項１に記載の発明によれば、ユーザが歩行する等して、所定の持続時間が経過するまでに装置本体の振動の回数が所定の回数に達すれば、キャラクタの第１パラメータの値を増加させて、画面に表示されるキャラクタの１動作あたりの時間間隔を短くしてキャラクタの動作を速くするように構成した。
【００１９】
このように構成することで、ユーザが歩行等の行動をすれば画面上のキャラクタの動作が速くなり、行動しなければキャラクタの動作が遅くなるため、ユーザの行動を画面上のキャラクタの行動に的確に反映させることが可能となるとともに、ユーザは自分の行動によりキャラクタの動作が速くなったり遅くなったりすることでキャラクタとの一体感を得ることが可能となる。
【００２０】
また、そのため、ユーザは画面上のキャラクタとの一体感とともに、キャラクタを例えば所定の目的地に到達させたことの達成感を得ることが可能となり、ユーザに歩こうという意欲を持たせ維持させることが可能となる。
【００２１】
請求項２に記載の発明によれば、前記発明の効果に加え、キャラクタの第１パラメータを整数値等の段階的に変化する値とすることで、制御プログラム等を容易に構築することが可能となる。
【００２２】
請求項３に記載の発明によれば、画面中や画面の近傍に第１パラメータを光の変色や点灯によって表示することで、ユーザがキャラクタの第１パラメータの値を容易かつ的確に認識することが可能となり、画面上のキャラクタとの一体感が増し、ユーザにキャラクタの第１パラメータをより向上させようという意欲を生じさせることが可能となり、前記各発明の効果がより的確に発揮される。
【００２３】
請求項４に記載の発明によれば、キャラクタの第１パラメータの値が変化した段階で、所定の持続時間の経過等をリセットすることで、ユーザに改めてキャラクタの第１パラメータを向上させようとする意欲を生じさせることが可能となり、前記各発明の効果がより的確に発揮される。
【００２４】
請求項５に記載の発明によれば、キャラクタの第１パラメータの向上に必要な持続時間内の装置本体の振動の所定の回数を、第１パラメータとは異なるキャラクタの第２パラメータに依存させて変化させることで、ユーザにキャラクタの第２パラメータをも向上させようとする意欲を生じさせることが可能となり、画面上のキャラクタとの一体感がさらに増して、前記各発明の効果がより的確に発揮される。
【００２５】
請求項６に記載の発明によれば、キャラクタの第１パラメータの向上の基準となる持続時間を、キャラクタの第３パラメータに依存させて変化させることで、ユーザにキャラクタの第３パラメータをも向上させようとする意欲を生じさせることが可能となり、画面上のキャラクタとの一体感がさらに増して、前記各発明の効果がより的確に発揮される。
【００２６】
請求項７に記載の発明によれば、キャラクタの歩数の積算値の、設定された目的地までに要する全歩数に対する割合を、画面中や画面の近傍に発光等によって表示することで、ユーザがキャラクタの目的地までの残りの歩数を容易かつ的確に認識することが可能となり、キャラクタを目的地に到達させようという意欲を生じさせることが可能となり、画面上のキャラクタとの一体感が増して、前記各発明の効果がより的確に発揮される。
【００２７】
請求項８に記載の発明によれば、装置本体の振動１回あたりの歩数を第１パラメータの値に対応して大きくなる値とすることで、ユーザにキャラクタの第１パラメータをより向上させようとする意欲を生じさせることが可能となり、画面上のキャラクタとの一体感がさらに増して、前記各発明の効果がより的確に発揮される。
【００２８】
請求項９に記載の発明によれば、ユーザが行動して装置本体が振動している場合に画面上のキャラクタを動作させ、ユーザが行動しておらず装置本体が振動していない場合には画面上のキャラクタの動作を停止させることで、画面上のキャラクタとの一体感が増し、ユーザにキャラクタを目的地まで到達させようとする意欲を生じさせることが可能となり、前記各発明の効果がより的確に発揮される。
【発明を実施するための最良の形態】
【００２９】
以下、本発明に係る画像表示装置の実施の形態について、図面を参照して説明する。本実施形態に係る画像表示装置は、下記に示すように、万歩計機能を有し、表示画面にキャラクタが表示される画像表示装置である。
【００３０】
本実施形態に係る画像表示装置１には、図１に示すように、画面３が装置本体２の前面中央部に、各種の設定等を行うためのアイコン表示スイッチ４が装置本体２の画面３の上下に、画面３に表示される後述するキャラクタＣの第１パラメータＰ１である「テンション」（第１パラメータ「テンション」Ｐ１）の値を表示する表示手段５が装置本体２の画面３の一方の側方に、また、キャラクタＣの歩数を表示する表示部６が装置本体２の画面３の他方の側方にそれぞれ設けられている。
【００３１】
画面３は、本実施形態では、液晶パネルで形成されており、例えば３２×４４ドットのマトリクス画面として構成されている。画面３には、例えば図１に示すような犬を模したキャラクタＣ等が表示されるようになっている。
【００３２】
また、画面３上でのキャラクタＣの足や頭部、尻尾を模した部分等の表示を所定時間ごとに変化させることにより、キャラクタＣが動作している状態、すなわち本実施形態では歩いている状態または走っている状態が表現されるようになっている。また、キャラクタＣのそれらの部分の表示の変化を生じさせないように表示することで、キャラクタＣの動作が停止したことが表現されるようになっている。
【００３３】
アイコン表示スイッチ４は、画像表示装置１の機能モードを選択するためのスイッチであり、押下されるスイッチに応じて、キャラクタＣの名前や犬種の変更等の設定やキャラクタＣに対する訓練、ゲーム、通信、メール受信等の種々のモードで画像表示装置１を機能させるように操作されるものである。
【００３４】
本実施形態では、「おうち」のアイコン表示スイッチ４の押下で選択される機能モードでは、キャラクタＣが概念上到達すべき種々の「もくてきち」（以下、目的地という）が画面３上に表示されるようになっており、ユーザの操作によりいずれかの目的地を設定できるようになっている。また、この機能モードでは、キャラクタＣが概念上入浴できるようになっており、キャラクタＣが「おふろ」に入ることで、キャラクタＣの後述する第２パラメータＰ２である「きれいさ数値」（第２パラメータ「きれいさ数値」Ｐ２）が最大値となるようになっている。なお、第２パラメータ「きれいさ数値」Ｐ２は、キャラクタが種々の「イベント」に参加したり「仕事」や「トレーニング」等をすることで減少するようになっている。
【００３５】
本実施形態では、第２パラメータ「きれいさ数値」Ｐ２はキャラクタＣの概念上の清潔度を表すパラメータとして定義され、１〜５の整数値を取ることができるようになっている。第２パラメータ「きれいさ数値」Ｐ２が１の場合がいわば最も汚い状態に対応し、５の場合がいわば最も清潔である状態に対応しており、従って、「おふろ」に入ると清潔度が向上して、キャラクタＣの第２パラメータＰ２は５となる。
【００３６】
画像表示装置１は、デフォルトの状態では「おでかけ」の機能モードに設定されるようになっており、特定のアイコン表示スイッチ４が押下されない状態では、画面３には、図１に示したような動作し或いは動作が停止したキャラクタＣが表示されるようになっている。また、後述するように、装置本体２が振動している状態ではキャラクタＣは足等を模した部分を動かす所定の動作を行い、装置本体２の振動がなくなると動作を停止するように表示され、動作が停止した状態が所定時間継続すると「スリープ」モードに入るようになっている。
【００３７】
また、キャラクタＣが概念上所定の歩数を歩き或いは走った等の歩数で規定される所定の条件を満たすと、画面３上で種々の「イベント」等が発生するようになっており、それらの「イベント」等において、キャラクタＣが「成功」を収めるようにユーザが適切に操作することでキャラクタＣの第３パラメータＰ３である「レベル」が向上するようになっている。
【００３８】
本実施形態では、キャラクタＣの第３パラメータ「レベル」Ｐ３はキャラクタＣの概念上の能力を表すパラメータとして定義され、１〜８の整数値を取ることができるようになっている。初期状態ではキャラクタＣの第３パラメータ「レベル」Ｐ３は１であり、「イベント」で「成功」を収めること等でその値が上昇するようになっている。
【００３９】
なお、キャラクタＣの第１パラメータ「テンション」Ｐ１やその値を表示する表示手段５、キャラクタＣの歩数を表示する表示部６については後で説明する。
【００４０】
画像表示装置１は、本実施形態では、ＣＰＵ（Central Processing Unit）やメモリ等がバスに接続されたコンピュータ等で構成されている。
【００４１】
図２は、本実施形態に係る画像表示装置１の制御構成を表すブロック図である。画像表示装置１は、図２に示すように、前述したアイコン表示スイッチ４等を含む入力手段１１のほか、振動検知手段１２、記憶手段１３、計数手段１４、画像表示手段１５、制御手段１６等を備えている。
【００４２】
振動検知手段１２は、図１に示した画像表示装置１の装置本体２の内部に配設されており、ユーザが歩行等により体を動かすことによる装置本体２の上下方向、水平方向のみならずあらゆる方向の振動を検知するセンサを備えている。このようなセンサとしては万歩計に通常備えられている公知の振り子センサ等を用いることができる。
【００４３】
記憶手段１３は、本実施形態では、ＲＯＭ（Read Only Memory）やＥＥＰＲＯＭ（Electrically Erasable Programmable Read Only Memory）等のメモリで構成されており、フラッシュメモリ等を用いることも可能である。
【００４４】
記憶手段１３のＲＯＭには、画像表示装置１に対して種々の制御を行うための各種プログラムが格納されている。また、ＲＯＭには、キャラクタＣの犬種ごとの画像情報など画像表示装置１の初期設定等に必要な情報が記憶されている。
【００４５】
また、ＲＯＭには、ユーザの選択の対象となるキャラクタＣが到達すべき目的地のすべてについて、目的地ごとに目的地に到達するまでに計数されることが必要な全歩数が記憶されている。ここで、歩数とは、ユーザの実際の歩数ではなく、キャラクタＣの概念上の歩数である。
【００４６】
さらに、ＲＯＭには、図３に示すようなキャラクタＣの第１パラメータ「テンション」Ｐ１の値ごとに割り当てられたキャラクタＣの１動作あたりの時間間隔、すなわち本実施形態ではキャラクタＣの概念上の１歩あたりの時間間隔ΔＴのテーブルＴａが記憶されている。なお、本実施形態では、第１パラメータ「テンション」Ｐ１の値が１または２である場合には、画面３に歩いている状態のキャラクタＣが表示され、第１パラメータ「テンション」Ｐ１の値が３〜５の場合には、画面３に走っている状態のキャラクタＣが表示されるようになっている。
【００４７】
ここで、第１パラメータ「テンション」Ｐ１とは、本実施形態では、キャラクタＣの概念上の興奮度或いは高揚度の状態を表すパラメータとして定義され、１〜５の整数値を取ることが可能であり、段階的に変化するようになっている。また、第１パラメータ「テンション」Ｐ１の数値が大きくなるほど興奮度や高揚度が高まっている状態を表し、後述するように装置本体２に特定の条件の下で振動が加えられることにより上昇する。なお、例えば、前述した「イベント」で「かわいい」仲間や「ステキ」な仲間に遭遇する等した場合にも第１パラメータ「テンション」Ｐ１は最大値の５となる。
【００４８】
また、キャラクタＣの１動作とは、例えばキャラクタＣの４本の足を模した部分が画面３上で図１に示した状態からそれぞれ左側に移動する動作をいい、左側に移動した４本の足を模した部分が元の右側に移動した時点で次の１動作に移ったことになる。また、前記テーブルＴａに示されるように、本実施形態では、キャラクタＣの第１パラメータ「テンション」Ｐ１が大きくなるほど１動作あたりの時間間隔ΔＴが短くなるように構成されている。
【００４９】
さらに、ＲＯＭには、図４に示すような第１パラメータ「テンション」Ｐ１の値ごとに割り当てられた装置本体２の振動１回あたりのキャラクタＣの歩数ΔＳのテーブルＴｂが記憶されている。すなわち、前記テーブルＴａは、画面３上に表示するキャラクタＣの１動作あたりの時間間隔ΔＴについて第１パラメータ「テンション」Ｐ１の値ごとの基準を与えるものであり、テーブルＴｂは、装置本体２の１回の振動あたりキャラクタＣの概念上の歩数ΔＳを何歩カウントするかについて第１パラメータ「テンション」Ｐ１の値ごとの基準を与えるものである。
【００５０】
なお、本実施形態では、図４のテーブルＴｂに示すように、装置本体２の振動１回あたりのキャラクタＣの歩数ΔＳが、キャラクタＣの第１パラメータ「テンション」Ｐ１の値に対応するようになっており、さらに、第１パラメータＰ１の値が大きくなるほど大きな値を取るように設定されている。
【００５１】
一方、記憶手段１３のＥＥＰＲＯＭには、設定されたキャラクタＣの名前、犬種、目的地や、キャラクタＣの現在の第１パラメータ「テンション」Ｐ１、第２パラメータ「きれいさ数値」Ｐ２、第３パラメータ「レベル」Ｐ３の各値等が記憶されるようになっている。
【００５２】
また、ＥＥＰＲＯＭには、万歩計の通常の機能として、振動検知手段１２により検知され後述する計数手段１４により計数された装置本体２の振動の回数が逐次記憶されるようになっている。この装置本体２の振動の回数はユーザの実際の歩数に相当し、それを画面３上に常時表示したり、或いは所定の操作により表示されるように構成することができる。
【００５３】
計数手段１４は、後述するように制御手段１６が第１パラメータ「テンション」Ｐ１の値を変化させたことを示す第１パラメータＰ１の切替信号とともに制御手段１６から発信される現在の第１パラメータ「テンション」Ｐ１の値を一時保存し、前記振動検知手段１２から装置本体２の振動を検知した信号を受信するごとに、図４に示したテーブルＴｂを参照してその時点でのキャラクタＣの第１パラメータ「テンション」Ｐ１における振動１回あたりのキャラクタＣの歩数ΔＳを割り出して積算するようになっている。計数手段１４は、目的地が設定され、振動検知手段１２が装置本体２の振動の検知を開始した時点からキャラクタＣの歩数ΔＳの積算を開始し、キャラクタＣが目的地に到達して「おでかけ」の機能モードが終了された時点で前回の積算値がリセットされるようになっている。
【００５４】
また、計数手段１４は、振動検知手段１２から検知信号を受信するごとにその回数をカウントし、前述したように、振動の回数として記憶手段１３のＥＥＰＲＯＭにその回数を逐次記憶させるようになっている。
【００５５】
画像表示手段１５には、前述した画面３や表示手段５、表示部６が接続されており、画像表示手段１５はこれらの部材における表示動作を制御するようになっている。
【００５６】
具体的には、画像表示手段１５は、記憶手段１３のＥＥＰＲＯＭに記憶されているキャラクタＣの犬種の情報に基づいてＲＯＭからその犬種の画像情報を読み出して画面３にキャラクタＣを表示させるとともに、振動検知手段１２の検知信号に基づいて制御手段１６から送信されてくるキャラクタＣの動作、停止の信号に応じて画面３上に表示したキャラクタＣを動作させ（歩く、走る）、或いはその動作を停止させる。
【００５７】
その際、画像表示手段１５は、制御手段１６から前述した第１パラメータＰ１の切替信号とともに発信される現在の第１パラメータ「テンション」Ｐ１の値を一時保存し、キャラクタＣを動作させるように表示する場合には、記憶手段１３に記憶されたテーブルＴａを参照して、キャラクタＣの現在の第１パラメータ「テンション」Ｐ１の値に対応する時間間隔ΔＴでキャラクタＣの表示を切り替えてその動作を表現するようになっている。
【００５８】
また、画像表示手段１５は、キャラクタＣの現在の第１パラメータ「テンション」Ｐ１の値に応じて、表示手段５を点灯させるようになっている。表示手段５は、図１に示したように、装置本体２の画面３の側方に設けられており、本実施形態では第１パラメータＰ１の最大値が５であることから表示手段５として５個の表示手段が設けられ、各表示手段は例えばＬＥＤ（Light Emitting Diode）でそれぞれ形成されている。
【００５９】
すなわち、本実施形態では、図５に示すように、例えば５つのＬＥＤ５１〜５５が点灯または消灯されるようになっており、第１パラメータ「テンション」Ｐ１が１のときは最も下方のＬＥＤ５１のみが点灯され、Ｐ１が２のときは下方側のＬＥＤ５１、５２が、Ｐ１が３のときはＬＥＤ５１〜５３が、Ｐ１が４のときはＬＥＤ５１〜５４がそれぞれ点灯され、第１パラメータ「テンション」Ｐ１が最大値５のときはＬＥＤ５１〜５５がすべて点灯されるようになっている。なお、表示手段５を画面３中の表示部分として構成することも可能である。
【００６０】
さらに、画像表示手段１５は、記憶手段１３に記憶されているキャラクタＣの目的地を読み出してＲＯＭに記憶されているその目的地に到達するまでに計数されることが必要な全歩数を参照し、その全歩数を一時保存する。そして、前述した計数手段１４で積算されたキャラクタＣの歩数の積算値が制御手段１６を介して送られてくると、積算値を全歩数で除してその割合を算出し、その割合に応じて表示部６を点灯させるようになっている。
【００６１】
本実施形態では、図１や図５に示すように、装置本体２の画面３の表示手段５とは反対側の側方に、表示部６が設けられており、表示部６は、例えば表示手段５に対応するように５個のＬＥＤで構成されている。
【００６２】
そして、画像表示手段１５は、まず、目的地が設定された時点で最も下方のＬＥＤ６１を点灯させ、前記割合が２５％を超えるとＬＥＤ６１、６２を点灯させ、割合が５０％を超えるとＬＥＤ６１〜６３を点灯させ、割合が７５％を超えるとＬＥＤ６１〜６４を点灯させ、目的地までのキャラクタＣの歩数が残り２０歩になった時点でＬＥＤ６１〜６４を点灯させたままＬＥＤ６５を点滅させる。そして、キャラクタＣが目的地に到達するとＬＥＤ６１〜６５をすべて点灯させ、「おでかけ」の機能モードが終了されるとすべてのＬＥＤ６１〜６５を消灯させるようになっている。
【００６３】
次に、制御手段１６の制御構成を説明するとともに、あわせて本実施形態に係る画像表示装置１の作用について説明する。
【００６４】
制御手段１６は、画像表示装置１の初期設定において設定されたキャラクタＣの名前や犬種、目的地等の種々の設定事項を記憶手段１３のＥＥＰＲＯＭに記憶させる。また、キャラクタＣの第１パラメータ「テンション」Ｐ１および第３パラメータ「レベル」Ｐ３の各値を最低値である１にセットし、第２パラメータ「きれいさ数値」Ｐ２は中間値である３にセットする。なお、第２パラメータ「きれいさ数値」Ｐ２、第３パラメータ「レベル」Ｐ３の各値については前回の「おでかけ」の機能モードにおける最終値を引き続き用いるように構成することも可能である。また、前述したように第２パラメータ「きれいさ数値」Ｐ２はキャラクタＣが「おふろ」に入ることで最大値５となる。
【００６５】
制御手段１６は、画像表示装置１の機能モードが「おでかけ」モードに設定されると、振動検知手段１２や計数手段１４、画像表示手段１５に開始信号を発信する。振動検知手段１２は、開始信号を受信すると、ユーザが歩行等により体を動かすことによる装置本体２のあらゆる方向の振動を検知し、振動を検知するごとに検知信号を発信する。
【００６６】
また、計数手段１４は、振動検知手段１２から検知信号を受信するごとに振動の回数をカウントし、記憶手段１３のＥＥＰＲＯＭにその回数を記憶させる。この振動の回数のカウントは後述する第１パラメータ「テンション」Ｐ１の値の増減とは関係なく常時行われる。また、計数手段１４は、それと並行して、前述したようにして振動検知手段１２が装置本体２の振動の検知を開始した時点からのキャラクタＣの歩数の積算値を算出して、積算値を算出するごとに、すなわち振動検知手段１２が振動を検知するごとに制御手段１６を介してその積算値を画像表示手段１５に送信する。
【００６７】
画像表示手段１５は、制御手段１６からの開始信号を受信すると、記憶手段１３のＥＥＰＲＯＭに記憶されているキャラクタＣの犬種の情報に基づいてＲＯＭからその犬種の画像情報を読み出して画面３にキャラクタＣを表示させる。また、画像表示手段１５は、キャラクタＣの第１パラメータ「テンション」Ｐ１の値を読み出して、前記の要領で表示手段５のＬＥＤ５１〜５５を適宜点灯、消灯させ、また、テーブルＴａを参照して第１パラメータ「テンション」Ｐ１に対応する時間間隔ΔＴを読み出す。さらに、画像表示手段１５は、計数手段１４から送信されてきた積算値の、設定された目的地に到達するまでに計数されることが必要な全歩数に対する割合を算出し、前述した要領でその割合に応じて表示部６のＬＥＤ６１〜６５を点灯、消灯または点滅させて、表示部６の表示を変化させる。
【００６８】
制御手段１６は、振動検知手段１２から発信される検知信号を常時監視し、最後に検知信号が発信されてから予め設定された時間経過しても次の検知信号が発信されない場合には画像表示手段１５に停止信号を送信し、停止信号を送信した後、振動検知手段１２からの検知信号を受信した場合には画像表示手段１５に動作信号を送信する。
【００６９】
画像表示手段１５は、制御手段１６から停止信号を受信すると、画面３上に表示したキャラクタＣの前記時間間隔ΔＴで変化させて表現されている動作を停止させ、動作が停止した状態が所定時間継続した場合には表示を消して「スリープ」モードに入る。また、制御手段１６から動作信号を受信すると、画面３上に表示したキャラクタＣの前記時間間隔ΔＴで変化させて「歩く」または「走る」の動作を表現する。
【００７０】
一方、制御手段１６は、「おでかけ」の機能モードでは、所定の持続時間が経過するまでに振動検知手段１２が検知した装置本体２の振動の回数が所定の回数に達すると、記憶手段１３のＥＥＰＲＯＭに記憶されているキャラクタＣの第１パラメータ「テンション」Ｐ１の値を変化させ、それに伴って画面３上でのキャラクタＣの表示やキャラクタＣの振動１回あたりの歩数ΔＳを変化させるようになっている。
【００７１】
まず、所定の持続時間について説明すると、本実施形態では、記憶手段１３のＲＯＭには、前記テーブルＴａ、Ｔｂのほかに図６に示すようなテーブルＴｃが記憶されており、制御手段１６は、このテーブルＴｃに基づいて持続時間Ｔconを設定するようになっている。図６に示すように、持続時間Ｔconが、キャラクタＣの第３パラメータ「レベル」Ｐ３に依存して変化するようになっており、本実施形態では第３パラメータ「レベル」Ｐ３の値が大きくなるほど持続時間Ｔconが長くなるように設定されている。
【００７２】
また、前述した所定の回数、すなわち上記の所定の持続時間Ｔconが経過するまでに検知されることが必要とされる装置本体２の振動の所定の回数については、基本的には２０回に設定されているが、本実施形態では、振動の所定の回数がキャラクタＣの第２パラメータ「きれいさ数値」の値Ｐ２に依存して変化するようになっている。
【００７３】
すなわち、所定の回数Ｃvibは、例えば、
Ｃvib＝２０−（Ｐ２−３）×５    …（１）
に従って変化されるようになっている。この場合、第２パラメータ「きれいさ数値」Ｐ２が大きな値であるほど所定の回数Ｃvibは小さい値をとるようになっており、いわばキャラクタＣが「きれい」であるほどより少ない振動の回数で「テンション」が上がるようになっている。
【００７４】
このように、「おでかけ」の機能モードでは、制御手段１６は、時間の経過を計り、計数手段１４によりカウントされる振動検知手段１２からの検知信号の回数、すなわち装置本体２の振動の回数を監視し、その回数が、図７に示すように、所定の持続時間Ｔconが経過するまでに例えば時間ｔ１で前記所定の回数Ｃvibに達すれば、キャラクタＣの第１パラメータ「テンション」Ｐ１の値を１増加させる。図７の例では、第１パラメータ「テンション」Ｐ１の値が１から２に段階的に増加する。
【００７５】
そして、制御手段１６は、第１パラメータ「テンション」Ｐ１の値を変化させると、切替信号と第１パラメータ「テンション」Ｐ１の新たな値とを発信する。
【００７６】
記憶手段１３は、切替信号に応じてＥＥＰＲＯＭに記憶されている第１パラメータ「テンション」Ｐ１の値に新たな値を上書きして更新する。また、計数手段１４は、切替信号とともに発信される第１パラメータ「テンション」Ｐ１の新たな値を一時保存し、テーブルＴｂを参照して振動１回あたりのキャラクタＣの歩数ΔＳを第１パラメータ「テンション」Ｐ１の新たな値に対応するものに変えて積算を続行する。
【００７７】
また、画像表示手段１５は、切替信号とともに発信される第１パラメータ「テンション」Ｐ１の新たな値を一時保存し、第１パラメータ「テンション」Ｐ１の新たな値に対応して表示手段５の点灯させるＬＥＤ５１〜５５を変えるとともに、テーブルＴａを参照して画面３に表示するキャラクタＣの１動作あたりの時間間隔ΔＴを第１パラメータ「テンション」Ｐ１の新たな値に対応するものに変えてキャラクタＣの動作をいわば速くする。
【００７８】
制御手段１６は、切替信号を発信すると、時間の経過の計測をリセットし、キャラクタＣの第１パラメータ「テンション」Ｐ１の値を変化させた図７の時間ｔ１から新たに時間の経過の計測を開始する。また、時間の経過の計測のリセットとともに、それまでにカウントされた装置本体２の振動の回数もリセットされ、新たにカウントが開始される。
【００７９】
なお、ここでリセットされる装置本体２の振動の回数とは、持続時間Ｔcon中の装置本体２の振動の回数、すなわち持続時間Ｔconが経過するまでに所定の回数Ｃvibがカウントされるか否かが判断される振動の回数のことであり、振動検知手段１２の検知信号に基づいて計数手段１４により常時計数され記憶手段１３に逐次記憶される装置本体２の振動の回数のことではない。後者は、万歩計の機能として、前記第１パラメータ「テンション」Ｐ１の値の変化とは関係なく常時カウントされる。
【００８０】
制御手段１６は、図８に示すように、時間ｔ１でリセットした後、新たに時間の経過の計測を開始し、計数手段１４が計数する装置本体２の振動の回数が、所定の持続時間Ｔconが経過するまでに例えば時間ｔ２で前記所定の回数Ｃvibに達すれば、キャラクタＣの第１パラメータ「テンション」Ｐ１の値をさらに１増加させ、図８の例では、第１パラメータ「テンション」Ｐ１の値を２から３に段階的に増加させる。
【００８１】
そして、制御手段１６が切替信号と第１パラメータ「テンション」Ｐ１の新たな値とを発信し、発信された切替信号と第１パラメータＰ１の新たな値に基づいて記憶手段１３や計数手段１４、画像表示手段１５は前記と同様の動作を行う。また、制御手段１６は、切替信号を発信すると、時間の経過の計測と装置本体２の振動の回数のカウントをリセットして、新たに開始する。
【００８２】
このように、持続時間Ｔconが経過するまでに装置本体２の振動がＣvibで表される所定の回数カウントされる限り、キャラクタＣの第１パラメータ「テンション」Ｐ１は上限値５に達するまで増加していき、それにあわせて画面３に表示されるキャラクタＣの１動作あたりの時間間隔ΔＴが短くなり、キャラクタＣの動作が速くなる。
【００８３】
一方、例えば図８において、時間ｔ２以降、持続時間Ｔconが経過するまでに装置本体２の振動の回数が所定の回数Ｃvibに達しなければ、本実施形態では、制御手段１６は、図９に示すように、持続時間Ｔconの経過後、さらにランダムに生成させた時間Ｔrandomが経過した時点ｔ３でキャラクタＣの第１パラメータ「テンション」Ｐ１の値を１減少させるようになっている。
【００８４】
そして、制御手段１６は、第１パラメータ「テンション」Ｐ１の値を増加させる場合と同様に、切替信号と第１パラメータ「テンション」Ｐ１の新たな値とを発信する。また、それに応じて画面３に表示されるキャラクタＣの１動作あたりの時間間隔ΔＴが長くなり、キャラクタＣの動作が遅くなる。
【００８５】
キャラクタＣの第１パラメータ「テンション」Ｐ１の値を減少させた場合にも、その時点ｔ３で時間の経過の計測と装置本体２の振動の回数のカウントがリセットされ、新たにカウントが開始される。
【００８６】
従って、時点ｔ３以降、前述したキャラクタＣの第１パラメータ「テンション」Ｐ１の値を増加させる条件が満たされればその値は増加されて、画面３に表示されるキャラクタＣの１動作あたりの時間間隔ΔＴが短くなり、キャラクタＣの動作が速くなる。また、前記条件が満たされなければその値は減少されて、画面３に表示されるキャラクタＣの１動作あたりの時間間隔ΔＴが長くなり、キャラクタＣの動作が遅くなる。
【００８７】
なお、画面３に表示されるキャラクタＣの動作が速くなる場合でも或いは遅くなる場合でも、「おでかけ」の機能モードが終了されない限り、計数手段１４によるキャラクタＣの第１パラメータ「テンション」Ｐ１の値に応じたキャラクタＣの歩数の積算は続行されるから、表示部６のＬＥＤ６１〜６５のうち点灯されるＬＥＤの数は次第に増えていき、最終的には、キャラクタＣの歩数が、目的地に到達するために必要な歩数に達する。
【００８８】
以上のように、本実施形態に係る画像表示装置１によれば、ユーザが歩行する等して、所定の持続時間Ｔconが経過するまでに装置本体２の振動の回数が所定の回数Ｃvibに達すれば、キャラクタＣの第１パラメータ「テンション」Ｐ１の値を増加させて、画面３に表示されるキャラクタＣの１動作あたりの時間間隔ΔＴを短くしてキャラクタＣの動作を速くするように構成した。
【００８９】
このように構成することで、ユーザが歩行等の行動をすれば画面上のキャラクタの動作が速くなり、行動しなければキャラクタの動作が遅くなるため、ユーザの行動を画面上のキャラクタの行動に的確に反映させることが可能となるとともに、ユーザは自分の行動によりキャラクタの動作が速くなったり遅くなったりすることでキャラクタとの一体感を得ることが可能となる。
【００９０】
また、そのため、ユーザは画面上のキャラクタとの一体感とともに、キャラクタを例えば所定の目的地に到達させたことの達成感を得ることが可能となり、ユーザに歩こうという意欲を持たせ維持させることが可能となる。
【００９１】
なお、本実施形態では、表示手段５や表示部６を点灯させ或いは消灯させる場合について説明したが、これに限定されず、この他にも、例えば点灯する表示手段５や表示部６の発光の色を変色させるように構成することも可能である。
【図面の簡単な説明】
【００９２】
【図１】本実施形態に係る画像表示装置の外観構成を示す図である。
【図２】本実施形態に係る画像表示装置の制御構成を表すブロック図である。
【図３】キャラクタの第１パラメータの値とキャラクタの１動作あたりの時間間隔とを対応付けるテーブルを説明する図である。
【図４】キャラクタの第１パラメータの値と装置本体の振動１回あたりのキャラクタの歩数とを対応付けるテーブルを説明する図である。
【図５】本実施形態に係る画像表示装置の表示手段と表示部との構成を示す図である。
【図６】キャラクタの第３パラメータの値と持続時間とを対応付けるテーブルを説明する図である。
【図７】持続時間内に装置本体が所定回数振動するとキャラクタの第１パラメータが段階的に増加することを説明するグラフである。
【図８】図７の状態からさらに持続時間内に装置本体が所定回数振動するとキャラクタの第１パラメータがさらに増加することを説明するグラフである。
【図９】持続時間内に装置本体が所定回数振動しなければキャラクタの第１パラメータが段階的に減少することを説明するグラフである。
【符号の説明】
【００９３】
１  画像表示装置
２  装置本体
３  画面
５、５１〜５５  表示手段
６、６１〜６５  表示部
１２  振動検知手段
１３  記憶手段
１５  画像表示手段
１６  制御手段
Ｃ  キャラクタ
Ｃvib  所定の回数
Ｐ１  第１パラメータ
Ｐ２  第２パラメータ
Ｐ３  第３パラメータ
Ｔcon  持続時間
ΔＳ  装置本体の振動１回あたりの歩数
ΔＴ  キャラクタの１動作あたりの時間間隔
【図１】
2009005856.tif 000003
【図２】
2009005856.tif 000004
【図３】
2009005856.tif 000005
【図４】
2009005856.tif 000006
【図５】
2009005856.tif 000007
【図６】
2009005856.tif 000008
【図７】
2009005856.tif 000009
【図８】
2009005856.tif 000010
【図９】
2009005856.tif 000011